(57)【要約】【課題】使用者の要望に応じて、複数の容器本体を、上下方向だけでなく、横方向にも配置することができ、使用者が、立体的な配置を楽しむことができる連結式容器及び取付容器の提供。【解決手段】容器本体１，２，３夫々に、開口面に平行に位置する底部に横パイプ１０，１０，２０，２０，３０，３０を設けてある。また、金属製の丸棒からなる連結部材４，４を夫々、容器本体２の横パイプ２０，２０及び容器本体１の横パイプ１０，１０に貫通させ、取付部材５の支持部５３に設けた横孔５４ｂ，５４ｂに貫通させる。【選択図】　　　　図１
2004008177.tif 000002
【特許請求の範囲】
【請求項１】
連結部材を介して複数の容器本体が連結してある連結式容器において、前記容器本体は、前記連結部材を嵌合させる横孔を備えることを特徴とする連結式容器。
【請求項２】
前記容器本体は上部に開口面を有しており、前記横孔は、該開口面に平行に備えてあることを特徴とする請求項１に記載の連結式容器。
【請求項３】
前記容器本体は、前記開口面の近傍に水抜孔を備えることを特徴とする請求項１又は２に記載の連結式容器。
【請求項４】
前記連結部材は棒状をなしており、中央に傾斜部を有することを特徴とする請求項１乃至３のいずれかに記載の連結式容器。
【請求項５】
請求項１乃至４のいずれかに記載された連結式容器と、被取付体に取り付けられる取付部及び該取付部に連なり前記連結式容器における連結部材を支持する支持部を有する取付体とを備えることを特徴とする取付容器。
【請求項６】
前記取付体の支持部は、前記連結部材を嵌合させる横孔を備えることを特徴とする請求項５に記載の取付容器。
【発明の詳細な説明】
【０００１】
【発明の属する技術分野】
本発明は、使用者が好み及び配置場所の状況等に応じて選択した複数の部材を立体的に配置することができる連結式容器及び取付容器に関するものである。
【０００２】
【従来の技術】
植木鉢及び水槽等の容器本体は、内部に入れた様々なものがこぼれないように、平坦な面上に載置して利用されるため、複数の容器本体を並べて用いる場合には、ある程度の広さを有する載置場所が必要である。
そこで、実開昭６１−９２２６８号公報等において開示されているように、複数の植木鉢本体を支柱を介して上下方向に連結して用いる連結式植木鉢が提案されており、この連結式植木鉢を利用した場合、植木鉢本体を載置できる平坦な場所が少ない場合であっても、複数の植木鉢本体を上下方向に連結して配置することができる。
【０００３】
【発明が解決しようとする課題】
しかし、上述した連結式植木鉢による場合は、上段に配置された植木鉢本体は、下段に配置された植木鉢本体の真上に位置するため、下段の植木鉢本体では、背の高い植物等を栽培することができない。また、上下位置に配置された植木鉢本体にて夫々植物等を栽培する場合、植木鉢本体夫々に水及び栄養分等を遣る必要があるが、下段の植木鉢本体への水遣り等が困難であり、使用者の水遣り等の負担が大きい。
また、マンション等の集合住宅においては、上述のような載置場所が屋外には少ない場合が多く、家庭菜園等により草花及び野菜等を栽培したい場合であっても、屋外に家庭菜園を作ることが困難である。更に、屋内においても、上述の連結式植木鉢等を載置するために、ある程度広い平坦な場所が必要であり、このような平坦な場所を確保することが困難であるという問題があった。
【０００４】
本発明は斯かる事情に鑑みてなされたものであり、容器本体に、他の容器本体と連結するための連結部材を嵌合させる横孔を備えることにより、連結部材を、複数の容器本体夫々の横孔に嵌合させることのみにて、各容器本体を横方向に連結させる連結式容器を提供することを目的とする。
【０００５】
本発明の他の目的は、容器本体は上部に開口面を有しており、前記横孔を該開口面に平行に備えることにより、連結部材を、複数の容器本体夫々の横孔に嵌合させた場合に、該複数の容器本体を横方向に連結できるだけでなく、各容器本体の開口面の位置を上部に保つことが可能な連結式容器を提供することにある。
【０００６】
本発明の更に他の目的は、容器本体に、開口面の近傍に水抜孔を備えることにより、該容器本体に水抜孔の配置位置よりも多い量の水及び栄養分が入れられた場合に、該水抜孔を介して所望の他の容器本体等に移すことができ、前記容器本体の開口面からの水及び栄養分の溢れを防止することが可能な連結式容器を提供することにある。
【０００７】
本発明の更に他の目的は、複数の容器本体を連結する連結部材が棒状をなし、中央に傾斜部を有することにより、連結された複数の容器本体が、真横方向だけでなく、斜め上又は下方向に配置することができる連結式容器を提供することにある。
【０００８】
本発明の更に他の目的は、被取付体に取り付けられる取付部と、該取付部に連なり、上述した連結式容器において各容器本体を連結する連結部材を支持する支持部とを有する取付体を備えることにより、取付体の取付部を窓枠等の被取付体に取り付けた場合に、該取付体の支持部が支持する連結部材が連結する複数の容器本体を、前記被取付体に取り付けることが可能な取付容器を提供することにある。
【０００９】
本発明の更に他の目的は、取付体の支持部が、複数の容器本体を連結させる連結部材を嵌合させる横孔を備えることにより、連結部材を横孔に嵌合させることのみにて該連結部材を支持することができ、該連結部材により複数の容器本体を連結することにより構成される連結式容器を支持することができる取付容器を提供することにある。
【００１０】
【課題を解決するための手段】
第１発明に係る連結式容器は、連結部材を介して複数の容器本体が連結してある連結式容器において、前記容器本体は、前記連結部材を嵌合させる横孔を備えることを特徴とする。
【００１１】
第１発明による場合は、容器本体に、他の容器本体と連結するための連結部材を嵌合させる横孔を備えることにより、連結部材を、複数の容器本体夫々の横孔に嵌合させることのみにて、各容器本体を横方向に連結させることができ、上下方向だけでなく横方向にも複数の容器本体を配置させることができ、連結された各容器本体夫々にて背の高い植物等を栽培することもできる。従って、各容器本体の配置位置の選択肢が広がり、その選択肢の範囲内において使用者の好み及び配置場所の状況等に応じた配置が可能となり、使用者が、複数の容器本体の立体的な配置をより楽しむことができる。
【００１２】
第２発明に係る連結式容器は、第１発明に係る連結式容器において、前記容器本体は上部に開口面を有しており、前記横孔は、該開口面に平行に備えてあることを特徴とする。
【００１３】
第２発明による場合は、容器本体は上部に開口面を有しており、前記横孔を該開口面に平行に備えることにより、連結部材を、複数の容器本体夫々の横孔に嵌合させた場合に、該複数の容器本体を横方向に連結できるだけでなく、各容器本体の開口面の位置を上部に保つことができ、各容器本体に入れたものがこぼれ出ることを防止することができる。
【００１４】
第３発明に係る連結式容器は、第１又は第２発明に係る連結式容器において、前記容器本体は、前記開口面の近傍に水抜孔を備えることを特徴とする。
【００１５】
第３発明による場合は、容器本体に、開口面の近傍に水抜孔を備えることにより、該容器本体に水抜孔の配置位置よりも多い量の水及び栄養分が入れられた場合に、該水抜孔を介して所望の他の容器本体等に移すことができ、前記容器本体の開口面からの水及び栄養分の溢れを防止することができる。
また、横方向に連結された複数の容器本体の水抜孔をホース等により連絡することにより、１つの容器本体に遣った水及び栄養分を、このホースを介して他の容器本体に移動させることができ、水及び栄養分を容易に複数の容器本体に遣ることができ、水遣りの手間を軽減することができる。
【００１６】
第４発明に係る連結式容器は、第１乃至第３発明のいずれかに係る連結式容器において、前記連結部材は棒状をなしており、中央に傾斜部を有することを特徴とする。
【００１７】
第４発明による場合は、複数の容器本体を連結する連結部材が棒状をなし、中央に傾斜部を有することにより、連結された複数の容器本体が、真横方向だけでなく、斜め上又は下方向に配置することができ、各容器本体の配置位置の選択肢がより広がり、その選択肢の範囲内において使用者の好み及び配置場所の状況等に応じた配置が可能となり、使用者が、複数の容器本体の立体的な配置をより楽しむことができる。
また、上方に配置された容器本体の水抜孔にホース等の一端を接続し、該ホースの他端を下方に配置された他の容器本体の開口面近傍に配置させることにより、上方の容器本体に遣った水及び栄養分を、該ホースを介して下方の容器本体に注ぎ込むことができ、水及び栄養分を容易に複数の容器本体に遣ることができ、水遣りの手間を軽減することができる。
【００１８】
第５発明に係る取付容器は、第１乃至第４発明のいずれかに係る連結式容器と、被取付体に取り付けられる取付部及び該取付部に連なり前記連結式容器における連結部材を支持する支持部を有する取付体とを備えることを特徴とする。
【００１９】
第５発明による場合は、被取付体に取り付けられる取付部と、該取付部に連なり、上述した連結式容器において各容器本体を連結する連結部材を支持する支持部とを有する取付体を備えることにより、取付体の取付部を窓枠等の被取付体に取り付けた場合に、該取付体の支持部が支持する連結部材が連結する複数の容器本体を、前記被取付体に取り付けることができる。従って、窓枠等に取り付けられた連結部材により複数の容器本体を連結させつつ支持することができ、容器本体を載置できる平坦な場所が少ない屋内等の狭い空間においても、上述した連結式容器を配置することができ、使用者が、複数の容器本体の配置を楽しむことができる。
【００２０】
第６発明に係る取付容器は、第５発明に係る取付容器において、前記取付体の支持部は、前記連結部材を嵌合させる横孔を備えることを特徴とする。
【００２１】
第６発明による場合は、取付体の支持部が、複数の容器本体を連結させる連結部材を嵌合させる横孔を備えることにより、連結部材を横孔に嵌合させることのみにて該連結部材を支持することができ、該連結部材により複数の容器本体を連結することにより構成される連結式容器を支持することができる。従って、容器本体を載置できる平坦な場所が少ない屋内等の狭い空間においても、複数の容器本体を連結した連結部材を安定して支持することにより、上述した連結式容器を窓枠等に取り付けることができる。
【００２２】
【発明の実施の形態】
以下本発明をその実施の形態を示す図面に基づいて詳述する。
（実施の形態１）
図１は実施の形態１に係る連結式容器の壁面への取付態様を示す斜視図である。図中５は取付部材（取付体）を示しており、この取付部材５は、壁面７０等の被取付体に取り付けられる。
図２は図１における取付部材５を左側から見た側面図であり、この取付部材５はアルミニウム等の金属製の丸棒からなり、該丸棒を、長手方向の一端から適宜距離を隔てた位置までを上方取付部５０として、該位置で直角に折り曲げてある。また、該位置から当該丸棒の中央部分までを支持部５３として、前記位置での折曲方向と反対方向に、該中央部分を適宜角度に折り曲げてあり、更に、当該丸棒の他端から適宜距離を隔てた位置までを下方取付部５５として、該位置で、前記中央部分での折曲方向と反対方向、即ち前記一端から適宜距離を隔てた位置での折曲方向と同方向に適宜角度に折り曲げることにより形成されている。
【００２３】
このように形成された取付部材５において、上方取付部５０及び下方取付部５５は一直線上に配されており、夫々の適宜位置に、支持部５３の延設方向に平行なネジ孔５１，５６が設けてある。また、上方取付部５０及び下方取付部５５の支持部５３の延設側の裏側には、支持部５３の延設方向に垂直な面に切り欠くことにより夫々平坦部５２，５７が形成されている。
また、取付部材５の支持部５３には、該支持部５３の延設方向に垂直な横孔５４ａ，５４ａ，５４ｂ，５４ｂが適宜の４箇所に設けてある。
【００２４】
上述した構成の取付部材５は、上方取付部５０を上側として、上方取付部５０及び下方取付部５５の平坦部５２，５７を壁面７０に接触させ、夫々のネジ孔５１，５６にネジ５８，５８を挿入し、該ネジ５８，５８を壁面７０にねじ込むことにより、壁面７０に固定されている。図１においては、２つの取付部材５，５を適宜間隔を隔てて壁面７０に取り付けている。
このように、上方取付部５０，５５に平坦部５２，５７を設けることにより、取付部材５が壁面７０等の平面に安定して接触することができ、また、上方取付部５０及び支持部５３が直角をなすことにより、取付部材５の支持部５３が支持する連結式容器を確実に支持することができる。
【００２５】
図１において１は、合成樹脂又はガラス等からなる立方体状の箱体である容器本体を示しており、この容器本体１は上部に開口面を有しており、該開口面に平行に位置する底部の２辺部分に横パイプ（横孔）１０，１０を備えている。また容器本体１は、周壁の４隅に夫々縦パイプ１２，１２…を備えており、横パイプ１０，１０の夫々一端を有する１つの側面には、開口面近傍に水抜孔１１が設けてある。更に容器本体１は、底部外側に横パイプ１０，１０に沿って、該底部から適宜間隔を有するレール部１３，１３を備えている。
【００２６】
また図１において２は底部が直角三角形状を有する直角三角柱状の箱体である容器本体を示しており、この容器本体２は上部に開口面を有し、該開口面に平行に位置する底部の直交する２辺のうちの１辺部分及び該１辺上にない１頂点部分に平行に横パイプ２０，２０を備えている。また容器本体２は、周壁の３隅に夫々縦パイプ２２，２２，２２を備えており、直交する２つの側面の一方の、横パイプ２０，２０の夫々一端を有する１つの側面には、開口面近傍に水抜孔２１が設けてある。更に容器本体２は、底部外側に横パイプ２０，２０に沿って、該底部から適宜間隔を有するレール部２３，２３を備えている。
【００２７】
これらの容器本体１，２は水耕栽培用の容器本体又は花器等として利用できるものであり、また室内のインテリアの一部として使用することも可能である。更に、底部の適宜箇所に貫通孔等を設けることにより、容器本体１，２に土を入れて植木鉢としても利用できる。
また、本実施の形態において、容器本体１，２の底部に備える横パイプ１０，１０，２０，２０は、夫々対向する側面間を貫通しているが、対向する各側面に開口部を有した凹部を備える構成としてもよい。
【００２８】
壁面７０に取り付けられた取付部材５，５の支持部５３，５３に設けられた横孔５４ａ，５４ｂ…は、夫々横孔５４ａ，５４ａ及び５４ｂ，５４ｂが対となっており、容器本体１の横パイプ１０，１０及び容器本体２の横パイプ２０，２０を夫々隔てる間隔と同間隔を隔てて設けられている。
また、図１において４はアルミニウム等の金属製の丸棒からなる連結部材を示しており、２本の連結部材４，４を夫々、容器本体２の横パイプ２０，２０、容器本体１の横パイプ１０，１０に貫通させ、更に両端部を取付部材５，５の支持部５３，５３の横孔５４ｂ，５４ｂ…に貫通させることにより、連結部材４，４は、容器本体１，２を連結しつつ取付部材５，５を介して壁面７０に取り付けることができる。
【００２９】
連結部材４，４により連結された容器本体１，２は、適宜間隔を隔てて配置され、相互に対向する水抜孔１１，２１がホース８により連絡されており、これにより、一方の容器本体１（又は２）に水及び栄養分を遣った場合に、水抜孔１１（又は２１）が位置する深さよりも多い水及び栄養分が、ホース８を介して他方の容器本体２（又は１）に注ぎ込まれることになり、容器本体１，２夫々に水及び栄養分を遣る必要がなく、水遣りの手間を省くことができる。
【００３０】
上述したように、連結部材４，４を介して容器本体１，２を横方向に連結することにより、各容器本体１，２にて夫々背の高い植物等を栽培することができ、また、取付部材５，５により容器本体１，２を壁面７０に取り付けることにより、容器本体１，２を載置する平坦な場所が少ない場合であっても、使用者の好み及び配置場所の状況等に応じた配置が可能となり、使用者が、複数の容器本体の立体的な配置を楽しむことができる。
更に、容器本体１，２に、該容器本体１，２の開口面に平行な横孔１０，１０，２０，２０を備えることにより、各容器本体１，２を確実に保持し、各容器本体１，２の開口面の位置を保つことができ、各容器本体１，２の開口面から水及び栄養分がこぼれ出ることを防止することができる。
【００３１】
（実施の形態２）
図３は実施の形態２に係る連結式容器の窓枠への取付態様を示す斜視図である。図中６は取付部材を示しており、この取付部材６は、窓枠７１の横板等に取り付けられる。
図４は取付部材６の拡大斜視図であり、この取付部材６はアルミニウム等の金属製の丸棒からなり、該丸棒を、長手方向の一端から適宜距離を隔てた位置までを第１取付部６１とし、該位置を第１折曲部６０として該第１折曲部６０で直角に折り曲げてある。また、該第１折曲部６０から適宜距離を隔てた位置を第２折曲部６２とし、第１折曲部６０での折曲方向に垂直な方向に直角に折り曲げてあり、該第２折曲部６２から適宜距離を隔てた位置を第３折曲部６３とし、第２折曲部６２での折曲方向に垂直な方向に直角に折り曲げてあり、この第１折曲部６０から第２折曲部６２を介して第３折曲部６３までを第２取付部６４としてある。
【００３２】
更に、取付部材６は、第３折曲部６３から適宜距離を隔てた位置までを第１支持部６６とし、該位置を第４折曲部６５として該第４折曲部６５で、第３折曲部６５での折曲方向に垂直な方向の、第１取付部６１が配置される側に、直角に折り曲げてあり、第４折曲部６５から当該丸棒の他端までを第２支持部６７としてある。
このように形成された取付部材６において、第１取付部６１と第１支持部６６とは平行に配されており、第１折曲部６０から第２折曲部６３までの部分と、第２支持部６７とは平行に配されている。また、第２取付部６４には、適宜位置に、第１支持部６６の延設方向に平行なネジ孔６４ａが設けてあり、第１支持部６６の延設側の裏側に、第１支持部６６の延設方向に垂直な面に切り欠くことにより平坦部（図示せず）が形成されている。
【００３３】
また、第１取付部６１には、第２取付部６２の平坦部に連なる適宜箇所を切り欠いて平坦部（図示せず）が形成されており、第２取付部６４の延設方向に平行なネジ孔６１ａが設けてある。更に、第２支持部６７には、該第１支持部６７の延設方向に垂直な横孔６７ａ，６７ａ，６７ｂ，６７ｂが適宜の４箇所に設けてある。
上述した構成の取付部材６は、第１取付部６１と第２取付部６４とからなる直角部分を窓枠７１の角部に接触させ、第１取付部６１及び第２取付部６４に備えるネジ孔６１ａ，６４ａにネジ６８，６８を挿入し、該ネジ６８，６８を窓枠７１にねじ込むことにより、窓枠７１に固定されている。
このように、第１取付部６１と第２取付部６４とが直角をなし、夫々第１取付部６１及び第２取付部６４に平坦部を設けることにより、取付部材６を窓枠７１に安定して接触させて固定させることができる。
【００３４】
窓枠７１に取り付けられた取付部材６の第２支持部６７に設けられた横孔６７ａ，６７ａ，６７ｂ，６７ｂは、夫々横孔６７ａ，６７ａ及び６７ｂ，６７ｂが対となっており、実施の形態１で示した容器本体１の横パイプ１０，１０及び容器本体２の横パイプ２０，２０を夫々隔てる間隔と同間隔を隔てて設けられている。
図３においては、２本の連結部材４，４を夫々、左側に配置される容器本体１の横パイプ１０，１０及び取付部材６の第２支持部６７の横孔６７ｂ，６７ｂに貫通させることにより、左側の容器本体１を取付部材６を介して窓枠７１に取り付けることができる。また、２本の連結部材４，４を夫々、右側に配置される容器本体１の横パイプ１０，１０及び取付部材６の第２支持部６７の横孔６７ａ，６７ａに貫通させることにより、右側の容器本体１を取付部材６を介して窓枠７１に取り付けることができる。
【００３５】
図３において９０は受皿を示しており、この受皿９０は、適宜の大きさの直方体状の皿体であり、開口部の対向する２長端部から、つば部９１，９１を夫々延設してあり、このつば部９１，９１を、右側に配置された容器本体１のレール部（図示せず）に掛止させることにより、右側の容器本体１に移動自在に取り付けてある。
図中８，８は、ワイヤ等を有して自由に曲げ方向を変化できる構成をなすホースを示しており、このホース８，８の一端が、夫々左右に配置された容器本体１，１の水抜孔１１，１１の外側開口部に取り付けられている。また、右側の容器本体１に取り付けられた受皿９０は、つば部９１，９１を半分程度だけ右側の容器本体１のレール部に掛止させてあり、ホース８，８の夫々他端は、受皿９０の開口部近傍に配置されている。
【００３６】
上述した構成により、夫々の容器本体１，１に水及び栄養分を遣った場合に、水抜孔１１，１１が位置する深さよりも多い水及び栄養分が、ホース８，８を介して受皿９０に注ぎ込まれることになり、連結部材４，４…から容器本体１，１を取り外すことなく、容器本体１，１内の水を入れ替えることができ、容器本体１，１の開口面からの水の溢れを防止することができる。
【００３７】
上述したように、連結部材４，４…及び取付部材６を介して容器本体１，１を横方向に連結することにより、各容器本体１，１にて夫々背の高い植物等を栽培することができ、また、容器本体１，１を窓枠７１に取り付けることにより、容器本体１，１を載置する平坦な場所が少ない場合であっても、使用者の好み及び配置場所の状況等に応じた配置が可能となり、使用者が、複数の容器本体の立体的な配置を楽しむことができる。
更に、容器本体１，１に、該容器本体１，１の開口面に平行な横孔１０，１０…を備えることにより、各容器本体１，１を確実に保持し、各容器本体１，１の開口面の位置を保つことができ、各容器本体１，１の開口面から水及び栄養分がこぼれ出ることを防止することができる。
【００３８】
（実施の形態３）
図５は実施の形態３に係る連結式容器の壁面への取付態様を示す斜視図である。図においては、実施の形態１において説明した取付部材５が、上方取付部５０を上側として、上方取付部５０及び下方取付部５５の平坦部５２，５７を壁面７０に接触させ、夫々のネジ孔５１，５６にネジ５８，５８を挿入し、該ネジ５８，５８を壁面７０にねじ込むことにより、壁面７０に固定されている。尚，実施の形態１においては、２つの取付部材５，５により連結部材４，４を支持する構成を示したが、本実施の形態で示すように、１つの取付部材５により連結式容器を壁面７０に取り付けることも可能である。
図においては、２本の連結部材４，４を夫々、取付部材５の横孔５４ｂ，５４ｂに貫通させ、左上方に配置される容器本体１の横パイプ１０，１０の一端に嵌合させてある。尚、本実施の形態における連結部材４，４は、前記容器本体１の横パイプ１０，１０を貫通せずに中途部まで嵌合させてある。
【００３９】
また、前記左上方の容器本体１の横パイプ１０，１０の他端には、中央に傾斜部を有する棒状の支柱４１，４１の一端が夫々嵌合してあり、この支柱４１，４１の他端を、右下方に配置される容器本体１の横パイプ１０，１０の一端に嵌合させることにより、左右に配置された容器本体１，１を連結している。
上述したように、２つの容器本体１，１を中央に傾斜部を有する支柱４１，４１を介して連結することにより、左右に連結された容器本体１，１を、斜め上下位置に配置することができ、両方の容器本体１，１において、背の高い植物等を栽培することができる。
【００４０】
図においては、右下方の容器本体１には、レール部（図示せず）につば部９１，９１を掛止させることにより受皿９０が取り付けられている。また、左上方の容器本体１の水抜孔１１の開口部外側に一端を取り付けられたホース８ａを、他端が右下方の容器本体１の開口面近傍に配置されるように曲げてあり、右下方の容器本体１の水抜孔１１の開口部外側に一端を取り付けられたホース８ｂを、他端が受皿９０の開口部近傍に配置されるように曲げてある。尚、説明の便宜上、左上方の容器本体１に取り付けられたホースをホース８ａとし、右下方の容器本体１に取り付けられたホースをホース８ｂとしている。
【００４１】
これにより、左上方に配置された容器本体１に水及び栄養分を遣った場合に、左上方の容器本体１に備える水抜孔１１が位置する深さよりも多い水及び栄養分が、ホース８ａを介して右下方の容器本体１に注ぎ込まれることになり、容器本体１，１夫々に水及び栄養分を遣る必要がなく、水遣りの手間を省くことができる。また、右下方の容器本体１の水抜孔１１が位置する深さよりも多い水及び栄養分がホース８ｂを介して受皿９０に排出され、受皿９０に不要な水及び栄養分を溜めることにより、右下方の容器本体１の開口面からの水及び栄養分の溢れを防止することができる。
【００４２】
上述したように、中途部分に傾斜部を有する連結部材４１，４１を介して容器本体１，１を横方向に連結することにより、各容器本体１，１を真横方向だけでなく、斜め上下方向に配置することができ、容器本体１，１を載置する平坦な場所が少ない場合であっても、使用者の好み及び配置場所の状況等に応じた配置が可能となり、使用者が、複数の容器本体の立体的な配置を楽しむことができる。
【００４３】
（実施の形態４）
図６は実施の形態４に係る連結式容器の壁体への取付態様を示す斜視図である。図中７２は突出部分を有する壁体を示しており、実施の形態２において示した取付部材６は、図に示すような壁体７２の突出部分にも取り付けられる。
取付部材（図６では一部省略）６は、第１取付部６１と第２取付部６４とからなる直角部分を壁体７２の突出部分の角部に接触させ、第１取付部６１及び第２取付部６４に備えるネジ孔６１ａ，６４ａにネジ６８，６８を挿入し、該ネジ６８，６８を壁体７２にねじ込むことにより、壁体７２に固定されている。
尚、この場合、取付部材６の第２支持部６７に設けられた横孔６７ａ，６７ａ，６７ｂ，６７ｂは縦孔として配置される。
【００４４】
図において３は直角三角柱状の容器本体を示しており、この容器本体３は、直角三角柱において直交する２つの側面の一方を開口面とし、該開口面を上にして用いられる。また、略直線状の底部の両端部分には、該直線に直交し、前記開口面に平行な横パイプ３０，３０を、周壁の垂直な２隅には、縦パイプ３２，３２を備えており、傾斜を有する側面には、開口面近傍に水抜孔３１が設けてある。また容器本体３は、底部外側に横パイプ３０，３０に沿って、該底部から適宜間隔を有するレール部３３，３３を備えている。
この容器本体３は水耕栽培用の容器又は花器等として利用できるものであり、また室内のインテリアの一部として使用することも可能である。更に、底部の適宜箇所に貫通孔等を設けることにより、植木鉢としても利用できる。
【００４５】
壁体７２に取り付けられた取付部材６の第２支持部６７に備える横孔６７ａ，６７ａ，６７ｂ，６７ｂにおいて、両外側の横孔６７ａ，６７ｂは、容器本体１及び容器本体３の縦パイプ１２，１２，３２，３２を夫々隔てる間隔と同間隔を隔てて設けられており、この両外側の横孔６７ａ，６７ｂに、中央に傾斜部を有する棒状の支柱４１，４１の一端を夫々嵌合させ、他端を、容器本体１の相隣る２つの縦パイプ１２，１２の下端に嵌合させることにより、支柱４１，４１を介して容器本体１を取付部材６に連結することができる。
【００４６】
また、容器本体１の縦パイプ１２，１２…のうちの、下端に支柱４１，４１が嵌合されていない２つの縦パイプ１２，１２の上端に、更に支柱４１，４１の一端を嵌合させ、他端を、上段の容器本体３のパイプ３２，３２の下端に嵌合させることにより、上段の容器本体３を支持しながら、上段の容器本体３と下段の容器本体１とを連結している。
上述したように取付部材６を、第２支持部６７の横孔６７ａ，６７ａ，６７ｂ，６７ｂが縦孔となるように壁体７２に固定し、支柱４１，４１を介して複数の容器本体を連結することにより、各容器本体を上下方向に配置することができ、各容器本体において背の高い植物等を栽培することができる。
【００４７】
図においては、下段の容器本体１の底部には受皿９０が取り付けてあり、上段の容器本体３の水抜孔３１の開口部外側に一端を取り付けられたホース８ａを、他端が下段の容器本体１の開口面近傍に配置されるように曲げ、下段の容器本体１の水抜孔１１の開口部外側に一端を取り付けられたホース８ｂを、他端が受皿９０の開口部近傍に配置されるように曲げてある。尚、説明の便宜上、上段の容器本体３に取り付けられたホースをホース８ａとし、下段の容器本体１に取り付けられたホースをホース８ｂとしている。
【００４８】
これにより、上段の容器本体３に水及び栄養分を遣った場合に、上段の容器本体３に備える水抜孔３１が位置する深さよりも多い水及び栄養分が、ホース８ａを介して下段の容器本体１に注ぎ込まれることになり、容器本体１，３夫々に水及び栄養分を遣る必要がなく、水遣りの手間を省くことができる。
また、下段の容器本体１の水抜孔１１が位置する深さよりも多い水及び栄養分が、ホース８ｂを介して受皿９０に排出され、受皿９０に不要な水及び栄養分を溜めることにより、下段の容器本体１の開口面からの水及び栄養分の溢れを防止することができる。
【００４９】
上述したように、容器本体１，３を支柱４１，４１を介して連結することにより、容器本体１，３を横方向だけでなく、上下方向にも配置させることができ、容器本体１，３を載置する平坦な場所が少ない場合であっても、使用者の好み及び配置場所の状況等に応じた配置が可能となり、使用者が、複数の容器本体の立体的な配置を楽しむことができる。
【００５０】
（実施の形態５）
図７は実施の形態５に係る連結式容器の窓枠への取付態様を示す斜視図である。図においては、上述した構成の取付部材６，６を２つ用いて、取付部材６，６を、第１取付部６１，６１と第２取付部６４，６４とからなる直角部分を窓枠７３の角部の適宜箇所に接触させ、夫々第１取付部６１，６１及び第２取付部６４，６４に備えるネジ孔６１ａ，６１ａ，６４ａ，６４ａにネジ６８，６８…を挿入し、該ネジ６８，６８…を窓枠７３にねじ込むことにより、窓枠７３に固定している。
また、２本の連結部材４，４を夫々、下段に配置される容器本体１の横パイプ１０，１０に貫通させ、その両端部を夫々取付部材６，６の横孔６７ｂ，６７ｂ…に貫通させてある。
【００５１】
このように、連結部材４，４の夫々両端部を２つの取付部材６，６により支持することにより、連結部材４，４により支持される下段の容器本体１を確実に支持することができる。
また図においては、支柱４１，４１の一端を、上述のように支持された下段の容器本体１の相隣る２つの縦パイプ１２，１２の上端に夫々嵌合させ、また、この支柱４１，４１の夫々他端を、上段に配置された容器本体１の相隣る２つの縦パイプ１２，１２の下端に嵌合させることにより、２つの容器本体１，１を上下位置に配置している。
【００５２】
このように支柱４１，４１により連結された２つの容器本体１，１においては、上段に配置された容器本体１の水抜孔１１に、自由に曲げ方向を変化できる構成を有するホース８の一端が取り付けてあり、このホース８を、他端が下段の容器本体１の開口面近傍に配置されるように曲げられている。
これにより、上段の容器本体１に水及び栄養分を遣った場合に、上段の容器本体１に備える水抜孔１１が位置する深さよりも多い水及び栄養分が、ホース８を介して下段の容器本体１に注ぎ込まれることになり、容器本体１，１夫々に水及び栄養分を遣る必要がなく、水遣りの手間を省くことができる。また、実施の形態２，３及び４で示したように、下段の容器本体１に受皿９０を取り付け、該容器本体１に備える水抜孔１１にホース８の一端を取り付けて，他端を受皿９０の開口部近傍に配置することにより、ホース８を介して不要な水及び栄養分を排出させることもできる。
【００５３】
上述したように、２つの容器本体１，１を縦パイプ１２，１２…に嵌合させた支柱４１，４１を介して連結することにより、容器本体１，１を横方向だけでなく、上下方向にも配置させることができ、容器本体１，１を載置する平坦な場所が少ない場合であっても、使用者の好み及び配置場所の状況等に応じた配置が可能となり、使用者が、複数の容器本体の立体的な配置を楽しむことができる。
また、上下方向に連結して２つの容器本体１，１を、２つの取付部材６，６を亘る連結部材４，４により支持することにより、複数の容器本体を連結した場合であっても、より確実に各容器本体を支持することができる。
【００５４】
上述した各実施の形態においては、夫々図に示したように、容器本体１，２，３を用いているが、各実施の形態における組合せに限られない。また、傾斜部を有しない丸棒を用いることにより、複数の容器本体１，２，３の上下方向への配置も当然可能である。
更に、上述した連結式容器を屋内の太陽光線が届き難い場所に載置する場合は、太陽光線と略同じ波長を有する光を放出するライトが市販されており、このライトを蛍光灯の代わりに用いることにより、電気料金を増大させることなく、野菜等を栽培することができる。
【００５５】
【発明の効果】
第１発明による場合は、容器本体に、他の容器本体と連結するための連結部材を嵌合させる横孔を備えることにより、連結部材を、複数の容器本体夫々の横孔に嵌合させることのみにて、各容器本体を横方向に連結させることができ、上下方向だけでなく横方向にも複数の容器本体を配置させることができ、連結された各容器本体夫々にて背の高い植物等を栽培することもできる。従って、各容器本体の配置位置の選択肢が広がり、その選択肢の範囲内において使用者の好み及び配置場所の状況等に応じた配置が可能となり、使用者が、複数の容器本体の立体的な配置をより楽しむことができる。
【００５６】
第２発明による場合は、容器本体は上部に開口面を有しており、前記横孔を該開口面に平行に備えることにより、連結部材を、複数の容器本体夫々の横孔に嵌合させた場合に、該複数の容器本体を横方向に連結できるだけでなく、各容器本体の開口面の位置を上部に保つことができ、各容器本体に入れたものがこぼれ出ることを防止することができる。
【００５７】
第３発明による場合は、容器本体に、開口面の近傍に水抜孔を備えることにより、該容器本体に水抜孔の配置位置よりも多い量の水及び栄養分が入れられた場合に、該水抜孔を介して所望の他の容器本体等に移すことができ、前記容器本体の開口面からの水及び栄養分の溢れを防止することができる。
また、横方向に連結された複数の容器本体の水抜孔をホース等により連絡することにより、１つの容器本体に遣った水及び栄養分を、このホースを介して他の容器本体に移動させることができ、水及び栄養分を容易に複数の容器本体に遣ることができ、水遣りの手間を軽減することができる。
【００５８】
第４発明による場合は、複数の容器本体を連結する連結部材が棒状をなし、中央に傾斜部を有することにより、連結された複数の容器本体が、真横方向だけでなく、斜め上又は下方向に配置することができ、各容器本体の配置位置の選択肢がより広がり、その選択肢の範囲内において使用者の好み及び配置場所の状況等に応じた配置が可能となり、使用者が、複数の容器本体の立体的な配置をより楽しむことができる。
【００５９】
第５発明による場合は、被取付体に取り付けられる取付部と、該取付部に連なり、上述した連結式容器において各容器本体を連結する連結部材を支持する支持部とを有する取付体を備えることにより、取付体の取付部を窓枠等の被取付体に取り付けた場合に、該取付体の支持部が支持する連結部材が連結する複数の容器本体を、前記被取付体に取り付けることができる。従って、窓枠等に取り付けられた連結部材により複数の容器本体を連結させつつ支持することができ、容器本体を載置できる平坦な場所が少ない屋内等の狭い空間においても、上述した連結式容器を配置することができ、使用者が、複数の容器本体の配置を楽しむことができる。
【００６０】
第６発明による場合は、取付体の支持部が、複数の容器本体を連結させる連結部材を嵌合させる横孔を備えることにより、連結部材を横孔に嵌合させることのみにて該連結部材を支持することができ、該連結部材により複数の容器本体を連結することにより構成される連結式容器を支持することができる。従って、容器本体を載置できる平坦な場所が少ない屋内等の狭い空間においても、複数の容器本体を連結した連結部材を安定して支持することにより、上述した連結式容器を窓枠等に取り付けることができる。
【図面の簡単な説明】
【図１】実施の形態１に係る連結式容器の壁面への取付態様を示す斜視図である。
【図２】取付部材を左側から見た側面図である。
【図３】実施の形態２に係る連結式容器の窓枠への取付態様を示す斜視図である。
【図４】取付部材の拡大斜視図である。
【図５】実施の形態３に係る連結式容器の壁面への取付態様を示す斜視図である。
【図６】実施の形態４に係る連結式容器の壁体への取付態様を示す斜視図である。
【図７】実施の形態５に係る連結式容器の窓枠への取付態様を示す斜視図である。
【符号の説明】
１，２，３　容器本体
１０，２０，３０　横パイプ
１１，２１，３１　水抜孔
４，４１　連結部材
５，６　取付部材
【図１】
2004008177.tif 000003
【図２】
2004008177.tif 000004
【図３】
2004008177.tif 000005
【図４】
2004008177.tif 000006
【図５】
2004008177.tif 000007
【図６】
2004008177.tif 000008
【図７】
2004008177.tif 000009